(57)【要約】【課題】無線機を複数備えた無線局において発生する局内送信干渉を低減する。【解決手段】第１のアンテナと第１の無線機との間に第１の分配器、第２のアンテナと第２の無線機との間に第２の分配器を設ける。第１の無線機又は第２の無線機が送信した前記高周波信号が、送信した無線機とは異なる無線機によって受信されることにより発生する干渉信号を低減するための、キャンセル信号を生成するキャンセラ部を、双方の分配器の間に設ける。キャンセラ部の動作は、第１、第２の無線機の動作状態に応じて切替えられ、必要に応じて、第１、第２の無線機における受信信号の品質により制御される。【選択図】図１
2013219577.tif 000002
【特許請求の範囲】
【請求項１】
複数の無線機を有し情報信号を送受信する無線通信装置であって、
第１のアンテナと、
当該第１のアンテナを用いて送受信する所定周波数の高周波信号を処理する送受信部、及び、当該送受信部と前記第１のアンテナとを仲介する第１の分配器を備える第１の無線機と、
第２のアンテナと、
当該第２のアンテナを用いて送受信する所定周波数の高周波信号を処理する送受信部、及び、当該送受信部と前記第２のアンテナとを仲介する第２の分配器を備える第２の無線機と、
前記第１の無線機が送信した高周波信号が前記第２の無線機を含む前記無線通信装置が有する他の無線機によって受信されることにより発生する干渉信号を低減するための第１のキャンセル信号を生成して前記第２の分配器に供給し、前記第２の無線機が送信した高周波信号が前記第１の無線機を含む前記無線通信装置が有する他の無線機によって受信されることにより発生する干渉信号を低減するための第２のキャンセル信号を生成して前記第１の分配器に供給するキャンセラ部と、を有し、
前記第１の分配器は、
前記第１の無線機が有する送受信部が送信する高周波信号を供給され、当該高周波信号を所定の電力比で少なくとも２つに分配し、分配された高周波信号のうちの１つを前記第１のアンテナに供給し、分配された高周波信号のうちの他の１つを前記キャンセラ部に供給し、前記第１のアンテナが受信した高周波信号を供給され当該高周波信号に前記第２のキャンセル信号を重畳して前記第１の無線機が有する送受信部に供給し、
前記第２の分配器は、
前記第２の無線機が有する送受信部が送信する高周波信号を供給され、当該高周波信号を所定の電力比で少なくとも２つに分配し、分配された高周波信号のうちの１つを前記第２のアンテナに供給し、分配された高周波信号のうちの他の１つを前記キャンセラ部に供給し、前記第２のアンテナが受信した高周波信号を供給され当該高周波信号に前記第１のキャンセル信号を重畳して前記第２の無線機が有する送受信部に供給し、
前記キャンセラ部は、
供給された前記高周波信号の振幅、又は／及び、位相を変化させて前記第１及び第２のキャンセル信号を生成する位相振幅調整部と、
前記第１の分配器から供給された前記高周波信号を終端する第１の終端回路と、
前記第１の分配器から供給された前記高周波信号を選択的に前記位相振幅調整部、又は、前記第１の終端回路に供給する第１のスイッチと、
前記第２の分配器から供給された前記高周波信号を終端する第２の終端回路と、
前記第２の分配器から供給された前記高周波信号を選択的に前記位相振幅調整部、又は、前記第２の終端回路に供給する第２のスイッチと、
前記第１及び第２のスイッチの動作を制御するスイッチ制御部と、を備える
ことを特徴とする無線通信装置。
【請求項２】
請求項１に記載の無線通信装置において、
前記第１の無線機は、
前記第１の無線機が前記高周波信号を送信する送信状態か、又は、受信する受信状態かを示す第１の送信フラグ信号を生成して前記スイッチ制御部に供給し、
前記第２の無線機は、
前記第２の無線機が前記高周波信号を送信する送信状態か、又は、受信する受信状態かを示す第２の送信フラグ信号を生成して前記スイッチ制御部に供給し、
当該スイッチ制御部は、供給された前記第１の送信フラグ信号及び第２の送信フラグ信号に基づき、
前記第１の無線機及び前記第２の無線機の双方が送信状態にある場合、又は、前記第１の無線機及び前記第２の無線機の双方が受信状態にある場合は、前記第１のスイッチが前記第１の分配器から供給された前記高周波信号を前記第１の終端回路に供給し、前記第２のスイッチが前記第２の分配器から供給された前記高周波信号を前記第２の終端回路に供給するように、前記第１及び第２のスイッチを制御し、
前記第１の無線機および前記第２の無線機のいずれか一方が送信状態にある場合は、前記第１のスイッチが前記第１の分配器から供給された前記高周波信号を前記位相振幅調整部に供給し、前記第２のスイッチが前記第２の分配器から供給された前記高周波信号を前記位相振幅調整部に供給するように、前記第１及び第２のスイッチを制御する
ことを特徴とする無線通信装置。
【請求項３】
請求項１に記載の無線通信装置において、
前記キャンセラ部は、
供給された前記高周波信号の振幅、又は／及び、位相を変化させて前記第１及び第２のキャンセル信号を生成する位相振幅調整部を有し、
前記第１の無線機は、
前記第１の無線機が受信する前記高周波信号の品質を示す第１の受信品質信号を出力し、
前記第２の無線機は、
前記第２の無線機が受信する前記高周波信号の品質を示す第２の受信品質信号を出力し、
前記無線通信装置は、
前記第１および第２の受信品質信号を判定し、前記位相振幅調整部が前記高周波信号の振幅、又は／及び、位相を変化させる量を制御するための制御信号を生成して前記位相振幅調整部に供給する信号品質判定部
を備えることを特徴とする無線通信装置。
【請求項４】
請求項３に記載の無線通信装置において、前記信号品質判定部は、前記受信信号品質を、前記受信信号の信号強度、Ｃ／Ｎ、Ｓ／Ｎ、ＥＶＭ、ＰＥＲ、ＢＥＲのうちの少なくも１つに基づいて判定することを特徴とする無線通信装置。
【請求項５】
請求項１に記載の無線通信装置において、前記第１の分配器と第２の分配器は方向性結合器であることを特徴とする無線通信装置。
【発明の詳細な説明】
【技術分野】
【０００１】
本発明は、無線通信装置に関する。
【背景技術】
【０００２】
周波数多重分割によって送信と受信を分割する方法を採用する無線通信装置においては、送信信号が受信信号に対して干渉することで通信品質の低下を招く場合がある。当該干渉を除去するための、キャンセル技術の一例が特許文献１に開示されている。
【先行技術文献】
【特許文献】
【０００３】
【特許文献１】特開２００９−１９４６３９号公報
【発明の概要】
【発明が解決しようとする課題】
【０００４】
前記特許文献１には、送信信号と逆位相であり且つ同振幅の信号を生成し、受信信号と重畳することで前記干渉を除去あるいは低減する技術が記載されている。しかしながら、特許文献１の無線通信装置は、時間多重分割によって送信と受信を分割する方法を採用する無線通信装置が、１つの装置（筐体）内に複数設けられて共存する場合（以下、このような装置を無線局と呼ぶ）について考慮されていない。そのため、ある無線局に設けられた無線通信装置の内の１つの送信信号が、当該無線局内の別の無線通信装置の受信信号に干渉する現象（以下、局内送信干渉と呼ぶ）を除去あるいは低減できないという課題がある。
【課題を解決するための手段】
【０００５】
上記課題を解決するために、例えば特許請求の範囲に記載の構成を採用する。
具体的には、複数の無線機を有し情報信号を送受信する無線通信装置であって、第１のアンテナと、当該第１のアンテナを用いて送受信する所定周波数の高周波信号を処理する送受信部、及び、当該送受信部と前記第１のアンテナとを仲介する第１の分配器を備える第１の無線機と、第２のアンテナと、当該第２のアンテナを用いて送受信する所定周波数の高周波信号を処理する送受信部、及び、当該送受信部と前記第２のアンテナとを仲介する第２の分配器を備える第２の無線機と、前記第１の無線機が送信した高周波信号が前記第２の無線機を含む前記無線通信装置が有する他の無線機によって受信されることにより発生する干渉信号を低減するための第１のキャンセル信号を生成して前記第２の分配器に供給し、前記第２の無線機が送信した高周波信号が前記第１の無線機を含む前記無線通信装置が有する他の無線機によって受信されることにより発生する干渉信号を低減するための第２のキャンセル信号を生成して前記第１の分配器に供給するキャンセラ部と、を有し、前記第１の分配器は、前記第１の無線機が有する送受信部が送信する高周波信号を供給され、当該高周波信号を所定の電力比で少なくとも２つに分配し、分配された高周波信号のうちの１つを前記第１のアンテナに供給し、分配された高周波信号のうちの他の１つを前記キャンセラ部に供給し、前記第１のアンテナが受信した高周波信号を供給され当該高周波信号に前記第２のキャンセル信号を重畳して前記第１の無線機が有する送受信部に供給し、前記第２の分配器は、前記第２の無線機が有する送受信部が送信する高周波信号を供給され、当該高周波信号を所定の電力比で少なくとも２つに分配し、分配された高周波信号のうちの１つを前記第２のアンテナに供給し、分配された高周波信号のうちの他の１つを前記キャンセラ部に供給し、前記第２のアンテナが受信した高周波信号を供給され当該高周波信号に前記第１のキャンセル信号を重畳して前記第２の無線機が有する送受信部に供給することを特徴としている。
【０００６】
また、前記した無線通信装置において、前記キャンセラ部は、供給された前記高周波信号の振幅、又は／及び、位相を変化させて前記第１及び第２のキャンセル信号を生成する位相振幅調整部と、前記第１の分配器から供給された前記高周波信号を終端する第１の終端回路と、前記第１の分配器から供給された前記高周波信号を選択的に前記位相振幅調整部、又は、前記第１の終端回路に供給する第１のスイッチと、前記第２の分配器から供給された前記高周波信号を終端する第２の終端回路と、前記第２の分配器から供給された前記高周波信号を選択的に前記位相振幅調整部、又は、前記第２の終端回路に供給する第２のスイッチと、前記第１及び第２のスイッチの動作を制御するスイッチ制御部と、を備えることを特徴としている。
【０００７】
また、前記した無線通信装置において、前記第１の無線機は、前記第１の無線機が前記高周波信号を送信する送信状態か、又は、受信する受信状態かを示す第１の送信フラグ信号を生成して前記スイッチ制御部に供給し、前記第２の無線機は、前記第２の無線機が前記高周波信号を送信する送信状態か、又は、受信する受信状態かを示す第２の送信フラグ信号を生成して前記スイッチ制御部に供給し、当該スイッチ制御部は、供給された前記第１の送信フラグ信号及び第２の送信フラグ信号に基づき、前記第１の無線機及び前記第２の無線機の双方が送信状態にある場合、又は、前記第１の無線機及び前記第２の無線機の双方が受信状態にある場合は、前記第１のスイッチが前記第１の分配器から供給された前記高周波信号を前記第１の終端回路に供給し、前記第２のスイッチが前記第２の分配器から供給された前記高周波信号を前記第２の終端回路に供給するように、前記第１及び第２のスイッチを制御し、前記第１の無線機および前記第２の無線機のいずれか一方が送信状態にある場合は、前記第１のスイッチが前記第１の分配器から供給された前記高周波信号を前記位相振幅調整部に供給し、前記第２のスイッチが前記第２の分配器から供給された前記高周波信号を前記位相振幅調整部に供給するように、前記第１及び第２のスイッチを制御することを特徴としている。
【０００８】
また、前記した無線通信装置において、前記キャンセラ部は、供給された前記高周波信号の振幅、又は／及び、位相を変化させて前記第１及び第２のキャンセル信号を生成する位相振幅調整部を有し、前記第１の無線機は、前記第１の無線機が受信する前記高周波信号の品質を示す第１の受信品質信号を出力し、前記第２の無線機は、前記第２の無線機が受信する前記高周波信号の品質を示す第２の受信品質信号を出力し、前記無線通信装置は、前記第１および第２の受信品質信号を判定し、前記位相振幅調整部が前記高周波信号の振幅、又は／及び、位相を変化させる量を制御するための制御信号を生成して前記位相振幅調整部に供給する信号品質判定部を備えることを特徴としている。
【発明の効果】
【０００９】
本発明によれば、局内送信干渉の影響を除去あるいは低減でき、無線通信装置の基本性能の向上に寄与できるという効果がある。
【図面の簡単な説明】
【００１０】
【図１】実施例１における無線局の構成の一例を示す図である。
【図２】実施例１におけるスイッチ制御部の動作の一例を示す図である。
【図３】実施例１における位相振幅調整部の構成の一例を示す図である。
【図４】実施例２における無線局の構成の一例を示す図である。
【図５】実施例２における位相振幅調整部の構成の一例を示す図である。
【図６】実施例３における無線局の構成の一例を示す図である。
【発明を実施するための形態】
【００１１】
以下、本発明に係る実施例について図を用いて説明する。
【実施例１】
【００１２】
図１は、本発明に係る無線局の第１の実施の形態における構成の一例を示すブロック図である。図１に示すように、本実施の形態による無線局１０１は、所定の高周波信号を送受信する機能を備えた無線機１０４ａおよび無線機１０４ｂと、無線機１０４ａから入力される前記高周波信号の位相および／あるいは振幅を調節して無線機１０４ｂへ出力する機能と無線機１０４ｂから入力される前記高周波信号の位相および／あるいは振幅を調節して無線機１０４ａへ出力する機能とを備えたキャンセラ部１０５と、無線機１０４ａおよび無線機１０４ｂが送受信するデータを管理する機能を備えた制御部１０３と、前記無線機１０４ａが高周波信号を送信および受信する際に用いられる少なくとも１つのアンテナ１０２ａ、および前記無線機１０４ｂが高周波信号を送信および受信する際に用いられる少なくとも１つのアンテナ１０２ｂを備える。また、無線機１０４ａおよび無線機１０４ｂは、時間分割多重によって送信用の前記高周波信号と受信用の前記高周波信号とを分割多重する。
さらに、無線機１０４ａは、送受信部１０６ａと、変復調部１０７ａと、アクセス制御部１０８ａと、を少なくともそれぞれ１つ備え、無線機１０４ｂは、送受信部１０６ｂと、変復調部１０７ｂと、アクセス制御部１０８ｂと、を少なくともそれぞれ１つ備える。
【００１３】
制御部１０３はアクセス制御部１０８ａおよびアクセス制御部１０８ｂに接続されており、無線機１０４ａおよび無線機１０４ｂの動作を制御する機能を備えている。また、制御部１０３は、無線機１０４ａおよび無線機１０４ｂが送受信するデータを管理し、アクセス制御部１０８ａおよびアクセス制御部１０８ｂに対して入出力する機能も備える。また、制御部１０３は、さらに、図示はしないパソコンなどの計算装置、または何らかの測定装置、あるいは温度計などのセンサ装置に有線あるいは無線接続によって接続されていても良く、前記データを前記装置との間で送受信する機能を備えていても良い。
【００１４】
アクセス制御部１０８ａは、変復調部１０７ａに接続されており、前記データを変復調部１０７ａに対して入出力する機能を備えている。また、アクセス制御部１０８ａは、図示しないが送受信部１０６ａと、変復調部１０７ａとそれぞれ制御ラインで接続されており、送受信部１０６ａと、変復調部１０７ａとをそれぞれ制御する機能を備えている。
アクセス制御部１０８ｂは、変復調部１０７ｂに接続されており、前記データを変復調部１０７ｂに対して入出力する機能を備えている。また、アクセス制御部１０８ｂは、図示しないが送受信部１０６ｂと、変復調部１０７ｂとそれぞれ制御ラインで接続されており、送受信部１０６ｂと、変復調部１０７ｂとをそれぞれ制御する機能を備えている。
【００１５】
変復調部１０７ａは、送受信部１０６ａに接続されており、送受信部１０６ａから入力された信号を前記データへ復調してアクセス制御部１０９ａへ出力する機能と、アクセス制御部１０８ａから入力された前記データを変調して送受信部１０６ａへ出力する機能を備えている。また、変復調部１０７ａは、無線機１０４ａが前記高周波信号を送信している送信状態であるのか、あるいは受信している受信状態であるのかを示す送信フラグ信号ａを出力する機能を備える。
変復調部１０７ｂは、送受信部１０６ｂに接続されており、送受信部１０６ｂから入力された信号を前記データへ復調してアクセス制御部１０９ｂへ出力する機能と、アクセス制御部１０８ｂから入力された前記データを変調して送受信部１０６ｂへ出力する機能を備えている。また、変復調部１０７ｂは、無線機１０４ｂが前記高周波信号を送信している送信状態であるのか、あるいは受信している受信状態であるのかを示す送信フラグ信号ｂを出力する機能を備える。
【００１６】
送受信部１０６ａは分配器１１３ａに接続されており、変復調部１０７ａから入力された前記変調された信号を、所定の振幅／周波数の前記高周波信号に変換して分配器１１３ａへと出力する機能と、分配器１１３ａが出力した信号を、所定の振幅／周波数に変換して変復調部１０７ａへ出力する機能と、を備えている。
送受信部１０６ｂは分配器１１３ｂに接続されており、変復調部１０７ｂから入力された前記変調された信号を、所定の振幅／周波数の前記高周波信号に変換して分配器１１３ｂへと出力する機能と、分配器１１３ｂが出力した信号を、所定の振幅／周波数に変換して変復調部１０７ｂへ出力する機能と、を備えている。
【００１７】
分配器１１３ａは、送受信部１０６ａと、アンテナ１０２ａと、キャンセラ部１０５との３つの構成要素に接続されており、前記３つの構成要素のいずれか１つから入力された信号を、残り２つの構成要素へ所定の電力比で分配する機能と、前記３つの構成要素のいずれか２つから入力された信号を合成して、残り１つの構成要素へ出力するする機能と、を備えている。
分配器１１３ｂは、送受信部１０６ｂと、アンテナ１０２ｂと、キャンセラ部１０５との３つの構成要素に接続されており、前記３つの構成要素のいずれか１つから入力された信号を、残り２つの構成要素へ所定の電力比で分配する機能と、前記３つの構成要素のいずれか２つから入力された信号を合成して、残り１つの構成要素へ出力するする機能と、を備えている。
【００１８】
アンテナ１０２ａは分配器１１３ａに接続されており、前記高周波信号を受信して分配器１１３ａへ出力する機能と、分配器１１３ａから出力された信号を前記高周波信号として送信する機能を備えている。
アンテナ１０２ｂは分配器１１３ｂに接続されており、前記高周波信号を受信して分配器１１３ｂへ出力する機能と、分配器１１３ｂから出力された信号を前記高周波信号として送信する機能を備えている。
【００１９】
キャンセラ部１０５は、スイッチ１０９ａと、スイッチ１０９ｂと、位相振幅調整部１１０と、終端回路１１１ａと、終端回路１１１ｂと、スイッチ制御部１１２と、を備えている。
スイッチ１０９ａは、スイッチ制御部１１２と、位相振幅調整部１１０と、終端回路１１１ａと、分配器１１３ａと、に接続されており、スイッチ制御部１１２による制御に従って、分配器１１３ａが接続される先を、位相振幅調整部１１０と終端回路１１１ａのうちどちらか一方から選択する機能を備えている。
【００２０】
スイッチ１０９ｂは、スイッチ制御部１１２と、位相振幅調整部１１０と、終端回路１１１ｂと、分配器１１３ｂと、に接続されており、スイッチ制御部１１２による制御に従って、分配器１１３ｂが接続される先を、位相振幅調整部１１０と終端回路１１１ｂのうちどちらか一方から選択する機能を備えている。
【００２１】
位相振幅調整部１１０は、スイッチ１０９ａを経由して入力される無線機１０４ａが送信する前記高周波信号の位相および／あるいは振幅を調節して、スイッチ１０９ｂを経由して無線機１０４ｂへ出力する機能と、スイッチ１０９ｂを経由して入力される無線機１０４ｂが送信する前記高周波信号の位相および／あるいは振幅を調節して、スイッチ１０９ａを経由して無線機１０４ａへ出力する機能と、を備える。
終端回路１１１ａは例えば終端抵抗装置であり、スイッチ１０９ａを経由して入力される前記高周波信号が分配器１１３ａに向けて反射されることを抑制する機能を持つ。
終端回路１１１ｂは例えば終端抵抗装置であり、スイッチ１０９ｂを経由して入力される前記高周波信号が分配器１１３ｂに向けて反射されることを抑制する機能を持つ。
【００２２】
スイッチ制御部１１２は、前記送信フラグ信号ａおよび前記送信フラグ信号ｂが入力されており、前記送信フラグ信号ａおよび前記送信フラグ信号ｂの状態および所定の手続きに従って、スイッチ１０９ａおよびスイッチ１０９ｂを制御する機能を備える。ここで、スイッチ制御部１１２の動作について、図２を用いて説明する。
図２は、前記送信フラグ信号ａおよび前記送信フラグ信号ｂが示す無線機１０４ａおよび無線機１０４ｂの状態に応じて、スイッチ制御部１１０が制御するべきスイッチ１０９ａおよびスイッチ１０９ｂの状態を示す表である。図２に示すとおり、無線機１０４ａおよび無線機１０４ｂの両方が前記送信状態にある場合、あるいは無線機１０４ａおよび無線機１０４ｂの両方が前記受信状態にある場合は、スイッチ制御部１１０は、スイッチ１０９ａおよびスイッチ１０９ｂの両方ともに終端回路１１１ａあるいは終端回路１１１ｂに接続するように制御する。一方、無線機１０４ａおよび無線機１０４ｂのどちらか一方のみが前記送信状態にある場合は、スイッチ制御部１１０は、スイッチ１０９ａおよびスイッチ１０９ｂの両方ともに位相振幅調整部１１０に接続するように制御する。
【００２３】
次に、本発明に係る無線局１０１において、無線機１０４ａが送信する前記高周波信号が、無線機１０４ｂが受信する前記高周波信号に干渉する局内送信干渉の影響を除去あるいは低減する動作の詳細について、図１に従って説明する。
アクセス制御部１０８ａは、変復調部１０７ａへ送信するデータを出力する。
変復調部１０７ａは、前記送信するデータを変調して変調信号を生成する。さらに、前記変調信号を送受信部１０６ａへ出力すると同時に、前記送信フラグ信号ａを用いてスイッチ制御部１１２に対して、前記送信状態であることを通知する。
【００２４】
送受信部１０６ａは、前記変調信号を所定の振幅／周波数の送信高周波信号に変換してアンテナ１０２ａへ出力する。また同時に、前記送信高周波信号は、分配器１１３ａを経由してスイッチ１０９ａへも出力される。
アンテナ１０２ａから出力された前記送信高周波信号は、無線機１０４ｂによって受信されることがあり、無線機１０４ｂが本来受信するべき図示しない別の無線装置から送信されてきた受信信号に対する干渉信号となり、前記本来受信するべき受信信号の信号品質を劣化させる。
一方、分配器１１３ａを経由してスイッチ１０９ａへも出力された前記送信高周波信号は、終端回路１１１ａまたは位相振幅調整部１１０へ出力される。
【００２５】
位相振幅調整部１１０へ出力された前記送信高周波信号は、位相振幅調整部１１０によって所定の位相調整および／あるいは振幅調整が施され、前記干渉信号と重畳することで前記干渉信号を減衰させるためのキャンセル信号としてスイッチ１０９ｂへ出力される。
スイッチ１０９ｂへ出力された前記キャンセル信号は、スイッチ１０９ｂを経由し、分配器１１３ｂにおいて前記干渉信号と重畳され、前記干渉信号を減衰させ、前記本来受信するべき受信信号の信号品質の劣化を抑制することができるので、前記局内送信干渉の影響を除去あるいは低減できる。
なお、前述の手続きにおける無線機１０４ａと無線機１０４ｂの送受信動作を逆にすることで、前述の手続きと全く同様にして、無線機１０４ｂの送信信号が無線機１０４ａの受信信号に与える干渉を減衰させるという同様の効果が得られる。
【００２６】
時間多重分割によって送信と受信を分割する方法を採用する無線通信装置では、１つの装置（筐体）内に１つの無線機を有する場合には、送信信号が受信信号に対する干渉信号となる現象は、原理的には発生しない。しかし、図１で示すような１つの装置（筐体）内に複数の無線機を有する無線局の場合には、複数の無線機の間で送受信のタイミングが異なることが一般的である。このため、一つの無線機が送信動作を行う際に、他の無線機が受信動作を行う場合には、前者の送信信号が後者の受信信号に対して干渉信号となることが多い。そこで本実施例では、図２で示したようにスイッチ制御部１１２がスイッチ１０９ａとスイッチ１０９ｂを制御する。これにより、一つの無線機が送信動作を行う際に他の無線機が受信動作を行う際は、キャンセラ１０５が干渉信号のキャンセル動作を行う。
一方、双方の無線機とも送信動作、或いは受信動作を行う場合には、前記キャンセル動作は必要としないので、分配器１１３ａ、１１３ｂの一端は終端抵抗１１１ａ、１１１ｂに接続される。これにより、キャンセラ１０５に供給された信号が無線機１１３ａ、１１３ｂへ反射されないようにしている。
【００２７】
次に、本実施例に示した位相振幅調整部１１０の詳細な構成の一例について図３を用いて説明する。
図３は、位相振幅調整部１１０の詳細な構成の一例を示した構成図である。
本実施例においては、位相振幅調整部１１０は、受動回路１と、受動回路２と、受動回路３と、固定長伝送線路Ｘ１と、固定長伝送線路Ｘ２と、を備えている。
受動回路１は、コンデンサＣ１と、コイルＬ１と、コンデンサＣ２と、コイルＬ２によって構成され、受動回路１を通過する高周波信号の位相を回転させる機能を備えている。
【００２８】
受動回路２は、コンデンサＣ３と、コイルＬ３と、コンデンサＣ４と、コイルＬ４によって構成され、受動回路２を通過する高周波信号の位相を回転させる機能を備えている。
受動回路３は抵抗Ｒ１と、抵抗Ｒ２と、抵抗Ｒ３から構成され、受動回路３を通過する高周波信号の振幅を変化させる機能を備えている。
スイッチ１０９ａから入力された前記送信高周波信号は、受動回路１を通過することによって位相が回転し、次に、固定長伝送線路Ｘ１を通過することによってさらに位相が回転し、次に、受動回路３を通過することで、振幅が変化し、次に、固定長伝送線路Ｘ２を通過することによってさらに位相が回転し、次に、受動回路２を通過することによって位相がさらに回転する。
【００２９】
本実施例における位相振幅調整部１１０は、以上に説明した構成をとることにより、スイッチ１０９ａを経由して入力される無線機１０４ａが送信する前記高周波信号の位相および／あるいは振幅を調節して、スイッチ１０９ｂを経由して無線機１０４ｂへ出力する機能と、スイッチ１０９ｂを経由して入力される無線機１０４ｂが送信する前記高周波信号の位相および／あるいは振幅を調節して、スイッチ１０９ａを経由して無線機１０４ａへ出力する機能と、を備える。
【００３０】
また、前記の位相振幅調整部１１０の構成は一つの例であり、１つ以上のコンデンサあるいはコイルあるいは抵抗、あるいはそれに類するその他受動素子を組み合わせた受動回路と、トランジスタまたはスイッチ素子に類する能動素子を利用した能動回路と、所定の線路長を備えた伝送線路と、などを所定の数を所定の順番で組み合わせて構成されていてもよい。
本実施例に示した無線通信装置の構成によれば、高周波信号を送受信する機能を備えた無線通信装置を複数備えた無線局において、当該無線局に設けられた無線通信装置の内の１つの送信信号が、当該無線局内の別の無線通信装置の受信信号に干渉する局内送信干渉の影響を除去あるいは低減できる。
【実施例２】
【００３１】
図４は、本発明に係る無線局の構成の第２の実施の形態の一例を示したブロック図である。なお、図４において、図１に示した前記第１の実施の形態の構成要素と対応する部分には同一の符号を付してある。
以下、図４を用いて、本実施の形態における無線局１０１の構成について、前記第１の実施の形態と相違する部分について詳細に説明する。
【００３２】
図４に示す無線局１０１は、図１に示した無線局１０１と相違する部分として、キャンセラ部１０５の構成要素として信号品質判定部４０１を備えている。
また、無線機１０４ａが備える変復調部１０７ａは、無線機１０４ａが受信した信号の品質を示す受信品質情報ａを出力する機能を備えており、無線機１０４ｂが備える変復調部１０７ｂは、無線機１０４ｂが受信した信号の品質を示す受信品質情報ｂを出力する機能を備えており、前記受信品質情報ａおよび前記受信品質情報ｂは、共に信号品質判定部４０１へ入力されている。
また、信号品質判定部４０１は、前記受信品質情報ａおよび前記受信品質情報ｂによって無線機１０４ａが受信した信号の品質と、無線機１０４ｂが受信した信号の品質を判定する機能を備えており、さらに、当該判定の結果に基づいて位相振幅調整部１１０−２を制御する制御信号を出力する機能を備える。
【００３３】
位相振幅調整部１１０−２は、スイッチ１０９ａを経由して入力される無線機１０４ａが送信する前記高周波信号の位相および／あるいは振幅を、前記信号品質判定部４０１が出力する制御信号に基づいて所定の値に調節して、スイッチ１０９ｂを経由して無線機１０４ｂへ出力する機能と、スイッチ１０９ｂを経由して入力される無線機１０４ｂが送信する前記高周波信号の位相および／あるいは振幅を、前記信号品質判定部４０１が出力する制御信号に基づいて所定の値に調節して、スイッチ１０９ａを経由して無線機１０４ａへ出力する機能と、を備える。ここでキャンセラ１０５は、前記受信品質情報ａおよび前記受信品質情報ｂを用いて、実際の受信品質に基づいて適応的に制御される。これにより、本実施の形態における位相振幅調整部１１０−２は、前記の第１の実施の形態における位相振幅調整部１１０よりも、前記干渉信号をより大きく減衰させることができるので、前記局内送信干渉の影響を除去あるいは低減できる。
【００３４】
次に、本実施例に示した位相振幅調整部１１０−２の詳細な構成の一例について図５を用いて説明する。
図５は、位相振幅調整部１１０−２の詳細な構成の一例を示した構成図である。
本実施例においては、位相振幅調整部１１０−２は、受動回路１−２と、受動回路２−２と、受動回路３−２と、固定長伝送線路Ｘ１と、固定長伝送線路Ｘ２と、を備えている。
【００３５】
受動回路１−２は、コンデンサＣ１と、コイルＬ１と、可変コンデンサＣ２−２と、コイルＬ２によって構成され、信号品質判定部４０１が出力する前記制御信号に基づいて、可変コンデンサ２−２の容量値を変化させる機能を備えている。これにより、受動回路１−２は、受動回路１−２を通過する高周波信号の位相を回転させる量を、前記制御信号に基づいて変化させる機能を備えている。
受動回路２−２は、コンデンサＣ３と、コイルＬ３と、可変コンデンサＣ４−２と、コイルＬ４によって構成され、信号品質判定部４０１が出力する前記制御信号に基づいて、可変コンデンサ４−２の容量値を変化させる機能を備えている。これにより、受動回路２−２は、受動回路２−２を通過する高周波信号の位相を回転させる量を、前記制御信号に基づいて変化させる機能を備えている。
受動回路３−２は抵抗Ｒ１と、抵抗Ｒ２と、可変抵抗Ｒ３−２から構成され、信号品質判定部４０１が出力する前記制御信号に基づいて、可変抵抗３−２の抵抗値を変化させる機能を備えている。これにより、受動回路３−２は、受動回路３−２を通過する高周波信号の振幅を変化させる量を、前記制御信号に基づいて変化させる機能を備えている。
図５の位相振幅調整部１１０−２においては、前記受信品質情報ａおよび前記受信品質情報ｂを用いた制御を行うために、位相振幅調整部１１０−２が有する回路素子のいくつかは値を変化できる点が、図３の位相振幅調整部１１０とは異なっている。
【００３６】
スイッチ１０９ａから入力された前記送信高周波信号は、受動回路１−２を通過することによって位相が回転し、次に、固定長伝送線路Ｘ１を通過することによってさらに位相が回転し、次に、受動回路３−２を通過することで、振幅が変化し、次に、固定長伝送線路Ｘ２を通過することによってさらに位相が回転し、次に、受動回路２−２を通過することによって位相がさらに回転する。また、前記送信高周波信号が受動回路１−２および受動回路２−２を通過することによる位相の回転量は、前述のとおり信号品質判定部４０１が出力する前記制御信号に基づいて変化させることができる。また、また、前記送信高周波信号が受動回路３−２を通過することによる振幅の変化量は、前述のとおり信号品質判定部４０１が出力する前記制御信号に基づいて変化させることができる。
【００３７】
本実施例における位相振幅調整部１１０−２は、以上に説明した構成をとることにより、スイッチ１０９ａを経由して入力される無線機１０４ａが送信する前記高周波信号の位相および／あるいは振幅を、信号品質判定部４０１が出力する制御信号に基づいて所定の値に調節して、スイッチ１０９ｂを経由して無線機１０４ｂへ出力する機能と、スイッチ１０９ｂを経由して入力される無線機１０４ｂが送信する前記高周波信号の位相および／あるいは振幅を、前記信号品質判定部４０１が出力する制御信号に基づいて所定の値に調節して、スイッチ１０９ａを経由して無線機１０４ａへ出力する機能と、を備える。
また、前記の位相振幅調整部１１０−２の構成は一つの例であり、１つ以上のコンデンサあるいはコイルあるいは抵抗、あるいはそれに類するその他受動素子を組み合わせた受動回路と、トランジスタまたはスイッチ素子に類する能動素子を利用した能動回路と、所定の線路長を備えた伝送線路と、などを所定の数を所定の順番で組み合わせて構成されていてもよい。
【００３８】
なお、前記受信品質情報ａおよび前記受信品質情報ｂは、例えば無線機１０４ａおよび無線機１０４ｂが受信した前記受信信号の信号強度でもよいし、あるいはＣ／Ｎ（Ｃａｒｒｉｅｒ  ｔｏ  Ｎｏｉｓｅ  Ｒａｔｉｏ）でもよいし、あるいはＳ／Ｎ（Ｓｉｇｎａｌ  ｔｏ  Ｎｏｉｓｅ  Ｒａｔｉｏ）でもよいし、ＥＶＭ（Ｅｒｒｏｒ  Ｖｅｃｔｏｒ  Ｍａｇｎｉｔｕｄｅ）でもよいし、ＰＥＲ（Ｐａｃｋｅｔ  Ｅｒｒｏｒ  Ｒａｔｅ）でもよいし、ＢＥＲ（Ｂｉｔ  Ｅｒｒｏｒ  Ｒａｔｅ）でもよいし、あるいはその他の受信信号品質情報でもよい。
また、図４に示した本実施の形態では、前記受信品質情報ａおよび前記受信品質情報ｂは変復調部１０７ａおよび変復調部１０７ｂから出力されているが、例えばアクセス制御部１０８ａおよびアクセス制御部１０８ｂから出力されてもよいし、あるいはその他の本実施の形態における構成要素から出力されてもよい。
本実施例に示した無線通信装置の構成によれば、高周波信号を送受信する機能を備えた無線通信装置を複数備えた無線局において、当該無線局に設けられた無線通信装置の内の１つの送信信号が、当該無線局内の別の無線通信装置の受信信号に干渉する局内送信干渉の影響を除去あるいは低減できる。
【実施例３】
【００３９】
図６は、本発明に係る無線局の構成の第３の実施の形態の一例を示したブロック図である。なお、図６において、図１および図４に示した前記第１、第２の実施の形態の構成要素と対応する部分には同一の符号を付してある。
以下、図６を用いて、本実施の形態における無線局１０１の構成について、前記第１の実施の形態および前記第２の実施の形態と相違する部分について詳細に説明する。
【００４０】
図６に示す無線局１０１は、図１および図４に示した無線局１０１と相違する部分として、キャンセラ部１０５−３は、スイッチ制御部１１２を備えておらず、位相振幅調整部１１０のみを備えている。
また、無線機１０４ａは、分配器１１３ａを備えておらず、方向性結合器６０１ａを備え、無線機１０４ｂは、分配器１１３ｂを備えておらず、方向性結合器６０１ｂを備える。
【００４１】
本実施例において、送受信部１０６ａは方向性結合器６０１ａに接続されており、変復調部１０７ａから入力された前記変調された信号を、所定の振幅／周波数の前記高周波信号に変換して方向性結合器６０１ａへと出力する機能と、方向性結合器６０１ａが出力した信号を、所定の振幅／周波数に変換して変復調部１０７ａへ出力する機能と、を備えている。
送受信部１０６ｂは方向性結合器６０１ｂに接続されており、変復調部１０７ｂから入力された前記変調された信号を、所定の振幅／周波数の前記高周波信号に変換して方向性結合器６０１ｂへと出力する機能と、方向性結合器６０１ｂから前記高周波信号を、所定の振幅／周波数に変換して変復調部１０７ｂへ出力する機能と、を備えている。
【００４２】
方向性結合器６０１ａはアンテナ１０２ａおよびキャンセラ部１０５−３へ接続されており、送受信部１０６ａから入力された前記高周波信号をアンテナ１０２ａおよびキャンセラ部１０５−３へ所定の電力比で分配する機能と、アンテナ１０２ａから入力された前記高周波信号と、キャンセラ部１０５−３から入力された信号とを重畳して、前記重畳した信号を送受信部１０６ａへ出力する機能を備えている。また、方向性結合器６０１ａは、アンテナ１０２ａから入力される前記高周波信号をキャンセラ部１０５−３へは出力せず、キャンセラ部１０５−３から入力される信号をアンテナ１０２ａへは出力しない。
【００４３】
方向性結合器６０１ｂはアンテナ１０２ｂおよびキャンセラ部１０５−３へ接続されており、送受信部１０６ｂから入力された前記高周波信号をアンテナ１０２ｂおよびキャンセラ部１０５−３へ所定の電力比で分配する機能と、アンテナ１０２ｂから入力された前記高周波信号と、キャンセラ部１０５−３から入力された信号とを重畳して、前記重畳した信号を送受信部１０６ｂへ出力する機能を備えている。また、方向性結合器６０１ｂは、アンテナ１０２ｂから入力される前記高周波信号をキャンセラ部１０５−３へは出力せず、キャンセラ部１０５−３から入力される信号をアンテナ１０２ｂへは出力しない。
【００４４】
次に、本実施例に示した無線局１０１において、無線機１０４ａが送信する前記高周波信号が、無線機１０４ｂが受信する前記高周波信号に干渉する局内送信干渉の影響を除去あるいは低減する動作の詳細について、図６に従って説明する。
アクセス制御部１０８ａは、変復調部１０７ａへ送信するデータを出力する。
変復調部１０７ａは、前記送信するデータを変調して変調信号を生成する。さらに、前記変調信号を送受信部１０６ａへ出力する。
【００４５】
送受信部１０６ａは、前記変調信号を所定の振幅／周波数の送信高周波信号に変換して、方向性結合器６０１ａを経由してアンテナ１０２ａへ出力する。また同時に、前記送信高周波信号は、方向性結合器６０１ａを経由して位相振幅調整部１１０へも出力される。
アンテナ１０２ａから出力された前記送信高周波信号は、無線機１０４ｂによって受信されることがあり、無線機１０４ｂが本来受信するべき図示しない別の無線装置から送信されてきた受信信号に対する干渉信号となり、前記本来受信するべき受信信号の信号品質を劣化させる。
【００４６】
一方、方向性結合器６０１ａを経由して位相振幅調整部１１０へ出力された前記送信高周波信号は、位相振幅調整部１１０によって所定の位相調整および／あるいは振幅調整が施され、前記干渉信号と重畳することで前記干渉信号を減衰させることができるキャンセル信号として方向性結合器６０１ｂへ出力される。前記キャンセル信号は、方向性結合器６０１ｂにおいて前記干渉信号と重畳され、前記干渉信号を減衰させ、前記本来受信するべき受信信号の信号品質の劣化を抑制することができるので、前記局内送信干渉の影響を除去あるいは低減できる。
なお、前述の手続きにおける無線機１０４ａと無線機１０４ｂの送受信動作を逆にすることで、前述の手続きと全く同様にして、無線機１０４ｂの送信信号が無線機１０４ａの受信信号に与える干渉を減衰させるという同様の効果が得られる。
【００４７】
本実施例に示した無線通信装置の構成によれば、高周波信号を送受信する機能を備えた無線通信装置を複数備えた無線局において、当該無線局に設けられた無線通信装置の内の１つの送信信号が、当該無線局内の別の無線通信装置の受信信号に干渉する局内送信干渉の影響を除去あるいは低減できる。
なお、本発明は上記した各実施例に限定されるものではなく、様々な変形例が含まれる。例えば、上記した各実施例は本発明を分かりやすく説明するために詳細に説明されたものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることが可能である。
【００４８】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４９】
１０１：無線局、１０２ａ：アンテナ、１０２ｂ：アンテナ、１０３：制御部、１０４ａ：無線機、１０４ｂ：無線機、１０５：キャンセラ部、１０６ａ：送受信部、１０６ｂ：送受信部、１０７ａ：変復調部、１０７ｂ：変復調部、１０８ａ：アクセス制御部、１０８ｂ：アクセス制御部、１０９ａ：スイッチ、１０９ｂ：スイッチ、１１０：位相振幅調整部、１１０−２：位相振幅調整部、１１１ａ：終端回路、１１１ｂ：終端回路、１１２：スイッチ制御部、１１３ａ：分配器、１１３ｂ：分配器、４０１：信号品質判定部、６０１ａ：方向性結合器、６０１ｂ：方向性結合器。
【図１】
2013219577.tif 000003
【図２】
2013219577.tif 000004
【図３】
2013219577.tif 000005
【図４】
2013219577.tif 000006
【図５】
2013219577.tif 000007
【図６】
2013219577.tif 000008